(57)【要約】【課題】絵文字、特にメール中に使用される絵文字に応じた情報提供を可能にすること。【解決手段】表示部１０８ａに表示されたＡ社のマークを示す絵文字を指示すると、携帯端末装置１０８はサーバ装置１０５にアクセスし、携帯端末装置１０８の現在位置（緯度、経度）を示す位置情報を送信情報として送信する。サーバ装置１０５は送信情報を参照し、携帯端末装置１０８のＧＰＳ機能の有無を判断する。そしてＧＰＳ機能が備わっていると判断した場合、携帯端末装置１０８の位置と近い位置にあるいくつかの支店データを携帯端末装置１０８に送信する。ＧＰＳ機能が備わっていないと判断した場合、Ａ社のコンビニエンスストアの複数の支店のうち、いくつかの支店で共通の情報（一般データ）を携帯端末装置１０８に送信する。【選択図】　図１
2004094915.tif 000002
【特許請求の範囲】
【請求項１】
携帯端末装置とネットワークを介して通信可能なサーバ装置の制御方法であって、
メール本文中に使用するための店舗を表現する絵文字の画像データと、当該店舗に関する情報提供を行う装置の前記ネットワーク上のアドレスを示すアドレスデータとのセットをメモリに複数記憶させる記憶工程と、
前記メモリが保持する複数のセットのうち、前記携帯端末装置から所望の絵文字の画像データの要求を受信する受信工程と、
要求された絵文字の画像データと、当該画像データとセットとなっているアドレスデータを前記メモリから取得して前記携帯端末装置に送信する送信工程と
を備えることを特徴とするサーバ装置の制御方法。
【請求項２】
メールの文章の入力、及び各種の指示を入力可能な入力部を備え、入力したメールのデータを外部装置に送信可能な携帯端末装置の制御方法であって、
店舗を表現する絵文字の画像データと、当該店舗に関する情報提供を行う装置のネットワーク上のアドレスを示すアドレスデータとのセットを複数保持するサーバ装置から、所望のセットを受信する受信工程と、
前記受信工程で受信した前記所望のセットをメモリに記憶させる記憶工程と、
前記入力部を用いて入力したメール本文中に、前記メモリが保持する絵文字の画像データを配置する指示が前記入力部を用いて入力された場合、前記メールのデータ中に、前記絵文字の画像データを特定する情報、及び当該画像データとセットになっているアドレスデータとを記述する記述工程と
を備えることを特徴とする携帯端末装置の制御方法。
【請求項３】
更に、
前記メールの文章と共に、前記記述工程による記述に従って前記メール本文中に前記絵文字の画像データを表示手段に表示する表示工程と、
前記絵文字の画像データを前記入力部を用いて指示された場合、前記絵文字の画像データとセットになっているアドレスデータで指定される装置に、前記携帯端末装置の位置を示す情報であるか否かを前記装置が判断可能な送信情報を送信する送信工程と、
前記送信情報に応じた結果を前記装置から受信して前記表示手段に表示させる表示制御工程と
を備えることを特徴とする請求項２に記載の携帯端末装置の制御方法。
【請求項４】
携帯端末装置に対して各種の情報提供を行うサーバ装置の制御方法であって、
各拠点に設けられた夫々の店舗に固有の情報を、当該夫々の店舗の位置情報と共に、前記サーバ装置が有する第１のメモリに記憶させる第１の記憶工程と、
前記夫々の店舗のうち、いくつかの店舗で共有される情報を、前記サーバ装置が有する第２のメモリに記憶させる第２の記憶工程と、
携帯端末装置から送信された送信情報を受信する受信工程と、
前記送信情報が、前記携帯端末装置の位置を示す情報であるか否かを判断する判断工程と、
前記送信情報が前記携帯端末装置の位置を示す情報である場合、当該情報と前記夫々の店舗の位置情報とを用いて前記携帯端末装置の近傍に位置する所定個数の店舗の夫々に固有の情報を前記第１のメモリから取得し、前記携帯端末装置に送信する第１の送信工程と、
前記送信情報が前記携帯端末装置の位置を示す情報でない場合、前記いくつかの店舗で共有される情報を前記第２のメモリから取得し、前記携帯端末装置に送信する第２の送信工程と
を備えることを特徴とするサーバ装置の制御方法。
【請求項５】
前記夫々の店舗に固有の情報は、夫々の店舗の住所、電話番号、ファックス番号、そして夫々の店舗の近傍の地図情報の何れか１つ以上を含むことを特徴とする請求項４に記載のサーバ装置の制御方法。
【請求項６】
前記いくつかの店舗で共有される情報は、前記いくつかの店舗で行われるセールに関する情報、前記いくつかの店舗でクーポンとして使用可能な画面を前記携帯端末装置が有する表示部に表示させるための情報の何れか１つ以上を含むことを特徴とする請求項４に記載のサーバ装置の制御方法。
【請求項７】
携帯端末装置に対してネットワークを介して各種の情報提供を行うサーバ装置の制御方法であって、
メール本文中に使用するための店舗を表現する絵文字の画像データ、当該店舗を特定する特定データ、前記サーバ装置の前記ネットワーク上におけるアドレスを示すアドレスデータのセットを、前記サーバ装置が有する第１のメモリに複数記憶させる第１の記憶工程と、
前記第１のメモリが保持する複数のセットのうち、前記携帯端末装置から所望の絵文字の画像データの要求を受信する第１の受信工程と、
要求された絵文字の画像データ、当該画像データとセットとなっているアドレスデータ、特定データを前記第１のメモリから取得して前記携帯端末装置に送信する第１の送信工程と
各店舗の夫々について、各拠点に設けられた夫々の支店に固有の情報を、当該夫々の支店の位置情報と共に、前記サーバ装置が有する第２のメモリに記憶させる第２の記憶工程と、
前記夫々の支店のうち、いくつかの支店で共有される情報を、前記サーバ装置が有する第３のメモリに記憶させる第３の記憶工程と、
携帯端末装置から送信された送信情報を受信する第２の受信工程と、
前記送信情報が、前記携帯端末装置の位置を示す情報であるか否かを判断する判断工程と、
前記送信情報が前記携帯端末装置の位置を示す情報である場合、当該情報と、前記特定データで特定される店舗の夫々の支店の位置情報とを用いて前記携帯端末装置の近傍に位置する所定個数の支店の夫々に固有の情報を前記第２のメモリから取得し、前記携帯端末装置に送信する第２の送信工程と、
前記送信情報が前記携帯端末装置の位置を示す情報でない場合、前記特定データで特定される店舗のいくつかの店舗で共有される情報を前記第３のメモリから取得し、前記携帯端末装置に送信する第３の送信工程と
を備えることを特徴とするサーバ装置の制御方法。
【請求項８】
携帯端末装置とネットワークを介して通信可能なサーバ装置であって、
メール本文中に使用するための店舗を表現する絵文字の画像データと、当該店舗に関する情報提供を行う装置の前記ネットワーク上のアドレスを示すアドレスデータとのセットを複数保持する保持手段と、
前記保持手段が保持する複数のセットのうち、前記携帯端末装置から所望の絵文字の画像データの要求を受信する受信手段と、
要求された絵文字の画像データと、当該画像データとセットとなっているアドレスデータを前記保持手段から取得して前記携帯端末装置に送信する送信手段と
を備えることを特徴とするサーバ装置。
【請求項９】
メールの文章の入力、及び各種の指示を入力可能な入力部を備え、入力したメールのデータを外部装置に送信可能な携帯端末装置であって、
店舗を表現する絵文字の画像データと、当該店舗に関する情報提供を行う装置のネットワーク上のアドレスを示すアドレスデータとのセットを複数保持するサーバ装置から、所望のセットを受信する受信手段と、
前記受信手段が受信した前記所望のセットを保持する保持手段と、
前記入力部を用いて入力したメール本文中に、前記保持手段が保持する絵文字の画像データを配置する指示が前記入力部を用いて入力された場合、前記メールのデータ中に、前記絵文字の画像データを特定する情報、及び当該画像データとセットになっているアドレスデータとを記述する記述手段と
を備えることを特徴とする携帯端末装置。
【請求項１０】
更に、
前記メールの文章と共に、前記記述手段による記述に従って前記メール本文中に前記絵文字の画像データを表示する表示手段と、
前記絵文字の画像データを前記入力部を用いて指示された場合、前記絵文字の画像データとセットになっているアドレスデータで指定される装置に、前記携帯端末装置の位置を示す情報であるか否かを前記装置が判断可能な送信情報を送信する送信手段と、
前記送信情報に応じた結果を前記装置から受信して前記表示手段に表示させる表示制御手段と
を備えることを特徴とする請求項９に記載の携帯端末装置。
【請求項１１】
携帯端末装置に対して各種の情報提供を行うサーバ装置であって、
各拠点に設けられた夫々の店舗に固有の情報を、当該夫々の店舗の位置情報と共に保持する第１の保持手段と、
前記夫々の店舗のうち、いくつかの店舗で共有される情報を保持する第２の保持手段と、
携帯端末装置から送信された送信情報を受信する受信手段と、
前記送信情報が、前記携帯端末装置の位置を示す情報であるか否かを判断する判断手段と、
前記送信情報が前記携帯端末装置の位置を示す情報である場合、当該情報と前記夫々の店舗の位置情報とを用いて前記携帯端末装置の近傍に位置する所定個数の店舗の夫々に固有の情報を前記第１の保持手段から取得し、前記携帯端末装置に送信する第１の送信手段と、
前記送信情報が前記携帯端末装置の位置を示す情報でない場合、前記いくつかの店舗で共有される情報を前記第２の保持手段から取得し、前記携帯端末装置に送信する第２の送信手段と
を備えることを特徴とするサーバ装置。
【請求項１２】
前記夫々の店舗に固有の情報は、夫々の店舗の住所、電話番号、ファックス番号、そして夫々の店舗の近傍の地図情報の何れか１つ以上を含むことを特徴とする請求項１１に記載のサーバ装置。
【請求項１３】
前記いくつかの店舗で共有される情報は、前記いくつかの店舗で行われるセールに関する情報、前記いくつかの店舗でクーポンとして使用可能な画面を前記携帯端末装置が有する表示部に表示させるための情報の何れか１つ以上を含むことを特徴とする請求項１１に記載のサーバ装置。
【請求項１４】
メールの文章の入力、及び各種の指示を入力可能な入力部を備え、入力したメールのデータを外部装置に送信可能な第１の携帯端末装置と、当該第１の携帯端末装置とネットワークを介して通信可能な第１のサーバ装置と、前記第１の携帯端末装置から送信されたメールのデータを受信する第２の携帯端末装置と、当該第２の携帯端末装置に対して各種の情報提供を行う第２のサーバ装置とで構成されるシステムであって、
前記第１のサーバ装置は、
メール本文中に使用するための店舗を表現する絵文字の画像データと、当該店舗に関する情報提供を行う前記第２のサーバ装置の前記ネットワーク上のアドレスを示すアドレスデータとのセットを複数保持する第１の保持手段と、
前記第１の保持手段が保持する複数のセットのうち、前記第１の携帯端末装置から所望の絵文字の画像データの要求を受信する第１の受信手段と、
要求された絵文字の画像データと、当該画像データとセットとなっているアドレスデータを前記第１の保持手段から取得して前記携帯端末装置に送信する第１の送信手段とを備え、
前記第１の携帯端末装置は、
前記第１のサーバ装置から、所望のセットを受信する第２の受信手段と、
前記第２の受信手段が受信した前記所望のセットを保持する第２の保持手段と、
前記入力部を用いて入力したメール本文中に、前記第２の保持手段が保持する絵文字の画像データを配置する指示が前記入力部を用いて入力された場合、前記メールのデータ中に、前記絵文字の画像データを特定する情報、及び当該画像データとセットになっているアドレスデータとを記述する記述手段とを備え、
前記第２の携帯端末装置は、
前記メールの文章と共に、前記記述手段による記述に従って前記メール本文中に前記絵文字の画像データを表示する表示手段と、
前記絵文字の画像データを前記入力部を用いて指示された場合、前記絵文字の画像データとセットになっているアドレスデータで指定される前記第２のサーバ装置に、前記第２の携帯端末装置の位置を示す情報であるか否かを前記前記第２のサーバ装置が判断可能な送信情報を送信する第２の送信手段と、
前記送信情報に応じた結果を前記第２のサーバ装置から受信して前記表示手段に表示させる表示制御手段とを備え、
前記第２のサーバ装置は、
各拠点に設けられた夫々の店舗に固有の情報を、当該夫々の店舗の位置情報と共に保持する第３の保持手段と、
前記夫々の店舗のうち、いくつかの店舗で共有される情報を保持する第４の保持手段と、
前記第２の携帯端末装置から送信された送信情報を受信する第３の受信手段と、
前記送信情報が、前記第２の携帯端末装置の位置を示す情報であるか否かを判断する判断手段と、
前記送信情報が前記第２の携帯端末装置の位置を示す情報である場合、当該情報と前記夫々の店舗の位置情報とを用いて前記第２の携帯端末装置の近傍に位置する所定個数の店舗の夫々に固有の情報を前記第３の保持手段から取得し、前記第２の携帯端末装置に送信する第３の送信手段と、
前記送信情報が前記第２の携帯端末装置の位置を示す情報でない場合、前記いくつかの店舗で共有される情報を前記第４の保持手段から取得し、前記第２の携帯端末装置に送信する第４の送信手段と
を備えることを特徴とするシステム。
【請求項１５】
携帯端末装置に対してネットワークを介して各種の情報提供を行うサーバ装置であって、
メール本文中に使用するための店舗を表現する絵文字の画像データ、当該店舗を特定する特定データ、前記サーバ装置の前記ネットワーク上におけるアドレスを示すアドレスデータのセットを複数保持する第１の保持手段と、
前記第１の保持手段が保持する複数のセットのうち、前記携帯端末装置から所望の絵文字の画像データの要求を受信する第１の受信手段と、
要求された絵文字の画像データ、当該画像データとセットとなっているアドレスデータ、特定データを前記第１の保持手段から取得して前記携帯端末装置に送信する第１の送信手段と
各店舗の夫々について、各拠点に設けられた夫々の支店に固有の情報を、当該夫々の支店の位置情報と共に保持する第２の保持手段と、
前記夫々の支店のうち、いくつかの支店で共有される情報を保持する第３の保持手段と、
携帯端末装置から送信された送信情報を受信する第２の受信手段と、
前記送信情報が、前記携帯端末装置の位置を示す情報であるか否かを判断する判断手段と、
前記送信情報が前記携帯端末装置の位置を示す情報である場合、当該情報と、前記特定データで特定される店舗の夫々の支店の位置情報とを用いて前記携帯端末装置の近傍に位置する所定個数の支店の夫々に固有の情報を前記第２の保持手段から取得し、前記携帯端末装置に送信する第２の送信手段と、
前記送信情報が前記携帯端末装置の位置を示す情報でない場合、前記特定データで特定される店舗のいくつかの店舗で共有される情報を前記第３の保持手段から取得し、前記携帯端末装置に送信する第３の送信手段と
を備えることを特徴とするサーバ装置。
【請求項１６】
コンピュータに、請求項１に記載のサーバ装置の制御方法を実行させることを特徴とするプログラム。
【請求項１７】
コンピュータに、請求項２又は３に記載の携帯端末装置の制御方法を実行させることを特徴とするプログラム。
【請求項１８】
コンピュータに請求項４乃至６の何れか１項に記載のサーバ装置の制御方法を実行させることを特徴とするプログラム。
【請求項１９】
コンピュータに請求項７に記載のサーバ装置の制御方法を実行させることを特徴とするプログラム。
【請求項２０】
請求項１６乃至１９の何れか１項に記載のプログラムを格納することを特徴とするコンピュータ読み取り可能な記憶媒体。
【発明の詳細な説明】
【０００１】
【発明の属する技術分野】
本発明は、メール本文中に使用するための絵文字を用いて情報提供サービスを行うための技術に関するものである。
【０００２】
【従来の技術】
電子メールの文章を作成するに当たって、文章中に絵文字がよく用いられる。絵文字は主に、文章が表現する感情の表現や強調などを目的として用いられるもので、通常、携帯電話などの携帯端末装置に予め複数種類登録されている。
【０００３】
絵文字の使用例として、例えば電子メールに、「今日は良い日だった」という内容の文章を入力する場合、例えば「良い」の代わりに笑顔の絵文字を用いる。このようにすることで、メールを簡便に作成することができると共に、この電子メールを受け取った相手に対して、「今日は良い日だった」という内容をより分かり易く伝えることができる。また、この文章を作成するメール送信者、そしてこのメールを受け取るメール受信者に文章に対する面白みを与えることができる。
【０００４】
【発明が解決しようとする課題】
上述の通り、絵文字は電子メールとしての文章を作成するに際し、様々な効果をメール送信者、メール受信者に対して与えることができる。しかし、特に上記携帯端末装置には予め決まった種類（数）の絵文字しか登録されていないので、作成する文章によっては、該当する絵文字が無い場合がある。また、絵文字は上記利用目的のみしか使用されない。
【０００５】
また現在、携帯端末装置で利用されている絵文字は、予め夫々の携帯端末装置の機種に依存した固有のコードでもって登録されているので、このような絵文字を用いたメールを他の機種に送信しても、このメールを受信した携帯端末装置の表示画面には送信元の携帯端末装置側で意図した絵文字が表示されないといった問題がある。
【０００６】
上記問題を解決するために、本発明の目的は、絵文字、特にメール中に使用される絵文字に応じた情報提供を可能にすることにある。
【０００７】
また、本発明の別の目的は、この絵文字を画像として携帯端末装置にダウンロード可能にすることにある。
【０００８】
【課題を解決するための手段】
本発明の目的を達成するために、例えば本発明のサーバ装置の制御方法は以下の構成を備える。
【０００９】
すなわち、携帯端末装置とネットワークを介して通信可能なサーバ装置の制御方法であって、
メール本文中に使用するための店舗を表現する絵文字の画像データと、当該店舗に関する情報提供を行う装置の前記ネットワーク上のアドレスを示すアドレスデータとのセットをメモリに複数記憶させる記憶工程と、
前記メモリが保持する複数のセットのうち、前記携帯端末装置から所望の絵文字の画像データの要求を受信する受信工程と、
要求された絵文字の画像データと、当該画像データとセットとなっているアドレスデータを前記メモリから取得して前記携帯端末装置に送信する送信工程と
を備えることを特徴とする。
【００１０】
本発明の目的を達成するために、例えば本発明の携帯端末装置の制御方法は以下の構成を備える。
【００１１】
すなわち、メールの文章の入力、及び各種の指示を入力可能な入力部を備え、入力したメールのデータを外部装置に送信可能な携帯端末装置の制御方法であって、
店舗を表現する絵文字の画像データと、当該店舗に関する情報提供を行う装置のネットワーク上のアドレスを示すアドレスデータとのセットを複数保持するサーバ装置から、所望のセットを受信する受信工程と、
前記受信工程で受信した前記所望のセットをメモリに記憶させる記憶工程と、
前記入力部を用いて入力したメール本文中に、前記メモリが保持する絵文字の画像データを配置する指示が前記入力部を用いて入力された場合、前記メールのデータ中に、前記絵文字の画像データを特定する情報、及び当該画像データとセットになっているアドレスデータとを記述する記述工程と
を備えることを特徴とする。
【００１２】
本発明の目的を達成するために、例えば本発明のサーバ装置の制御方法は以下の構成を備える。
【００１３】
すなわち、携帯端末装置に対して各種の情報提供を行うサーバ装置の制御方法であって、
各拠点に設けられた夫々の店舗に固有の情報を、当該夫々の店舗の位置情報と共に、前記サーバ装置が有する第１のメモリに記憶させる第１の記憶工程と、
前記夫々の店舗のうち、いくつかの店舗で共有される情報を、前記サーバ装置が有する第２のメモリに記憶させる第２の記憶工程と、
携帯端末装置から送信された送信情報を受信する受信工程と、
前記送信情報が、前記携帯端末装置の位置を示す情報であるか否かを判断する判断工程と、
前記送信情報が前記携帯端末装置の位置を示す情報である場合、当該情報と前記夫々の店舗の位置情報とを用いて前記携帯端末装置の近傍に位置する所定個数の店舗の夫々に固有の情報を前記第１のメモリから取得し、前記携帯端末装置に送信する第１の送信工程と、
前記送信情報が前記携帯端末装置の位置を示す情報でない場合、前記いくつかの店舗で共有される情報を前記第２のメモリから取得し、前記携帯端末装置に送信する第２の送信工程と
を備えることを特徴とする。
【００１４】
本発明の目的を達成するために、例えば本発明のサーバ装置の制御方法は以下の構成を備える。
【００１５】
すなわち、携帯端末装置に対してネットワークを介して各種の情報提供を行うサーバ装置の制御方法であって、
メール本文中に使用するための店舗を表現する絵文字の画像データ、当該店舗を特定する特定データ、前記サーバ装置の前記ネットワーク上におけるアドレスを示すアドレスデータのセットを、前記サーバ装置が有する第１のメモリに複数記憶させる第１の記憶工程と、
前記第１のメモリが保持する複数のセットのうち、前記携帯端末装置から所望の絵文字の画像データの要求を受信する第１の受信工程と、
要求された絵文字の画像データ、当該画像データとセットとなっているアドレスデータ、特定データを前記第１のメモリから取得して前記携帯端末装置に送信する第１の送信工程と
各店舗の夫々について、各拠点に設けられた夫々の支店に固有の情報を、当該夫々の支店の位置情報と共に、前記サーバ装置が有する第２のメモリに記憶させる第２の記憶工程と、
前記夫々の支店のうち、いくつかの支店で共有される情報を、前記サーバ装置が有する第３のメモリに記憶させる第３の記憶工程と、
携帯端末装置から送信された送信情報を受信する第２の受信工程と、
前記送信情報が、前記携帯端末装置の位置を示す情報であるか否かを判断する判断工程と、
前記送信情報が前記携帯端末装置の位置を示す情報である場合、当該情報と、前記特定データで特定される店舗の夫々の支店の位置情報とを用いて前記携帯端末装置の近傍に位置する所定個数の支店の夫々に固有の情報を前記第２のメモリから取得し、前記携帯端末装置に送信する第２の送信工程と、
前記送信情報が前記携帯端末装置の位置を示す情報でない場合、前記特定データで特定される店舗のいくつかの店舗で共有される情報を前記第３のメモリから取得し、前記携帯端末装置に送信する第３の送信工程と
を備えることを特徴とする。
【００１６】
本発明の目的を達成するために、例えば本発明のサーバ装置は以下の構成を備える。
【００１７】
すなわち、携帯端末装置とネットワークを介して通信可能なサーバ装置であって、
メール本文中に使用するための店舗を表現する絵文字の画像データと、当該店舗に関する情報提供を行う装置の前記ネットワーク上のアドレスを示すアドレスデータとのセットを複数保持する保持手段と、
前記保持手段が保持する複数のセットのうち、前記携帯端末装置から所望の絵文字の画像データの要求を受信する受信手段と、
要求された絵文字の画像データと、当該画像データとセットとなっているアドレスデータを前記保持手段から取得して前記携帯端末装置に送信する送信手段と
を備えることを特徴とする。
【００１８】
本発明の目的を達成するために、例えば本発明の携帯端末装置は以下の構成を備える。
【００１９】
すなわち、メールの文章の入力、及び各種の指示を入力可能な入力部を備え、入力したメールのデータを外部装置に送信可能な携帯端末装置であって、
店舗を表現する絵文字の画像データと、当該店舗に関する情報提供を行う装置のネットワーク上のアドレスを示すアドレスデータとのセットを複数保持するサーバ装置から、所望のセットを受信する受信手段と、
前記受信手段が受信した前記所望のセットを保持する保持手段と、
前記入力部を用いて入力したメール本文中に、前記保持手段が保持する絵文字の画像データを配置する指示が前記入力部を用いて入力された場合、前記メールのデータ中に、前記絵文字の画像データを特定する情報、及び当該画像データとセットになっているアドレスデータとを記述する記述手段と
を備えることを特徴とする。
【００２０】
本発明の目的を達成するために、例えば本発明のサーバ装置は以下の構成を備える。
【００２１】
すなわち、携帯端末装置に対して各種の情報提供を行うサーバ装置であって、
各拠点に設けられた夫々の店舗に固有の情報を、当該夫々の店舗の位置情報と共に保持する第１の保持手段と、
前記夫々の店舗のうち、いくつかの店舗で共有される情報を保持する第２の保持手段と、
携帯端末装置から送信された送信情報を受信する受信手段と、
前記送信情報が、前記携帯端末装置の位置を示す情報であるか否かを判断する判断手段と、
前記送信情報が前記携帯端末装置の位置を示す情報である場合、当該情報と前記夫々の店舗の位置情報とを用いて前記携帯端末装置の近傍に位置する所定個数の店舗の夫々に固有の情報を前記第１の保持手段から取得し、前記携帯端末装置に送信する第１の送信手段と、
前記送信情報が前記携帯端末装置の位置を示す情報でない場合、前記いくつかの店舗で共有される情報を前記第２の保持手段から取得し、前記携帯端末装置に送信する第２の送信手段と
を備えることを特徴とする。
【００２２】
本発明の目的を達成するために、例えば本発明のシステムは以下の構成を備える。
【００２３】
すなわち、メールの文章の入力、及び各種の指示を入力可能な入力部を備え、入力したメールのデータを外部装置に送信可能な第１の携帯端末装置と、当該第１の携帯端末装置とネットワークを介して通信可能な第１のサーバ装置と、前記第１の携帯端末装置から送信されたメールのデータを受信する第２の携帯端末装置と、当該第２の携帯端末装置に対して各種の情報提供を行う第２のサーバ装置とで構成されるシステムであって、
前記第１のサーバ装置は、
メール本文中に使用するための店舗を表現する絵文字の画像データと、当該店舗に関する情報提供を行う前記第２のサーバ装置の前記ネットワーク上のアドレスを示すアドレスデータとのセットを複数保持する第１の保持手段と、
前記第１の保持手段が保持する複数のセットのうち、前記第１の携帯端末装置から所望の絵文字の画像データの要求を受信する第１の受信手段と、
要求された絵文字の画像データと、当該画像データとセットとなっているアドレスデータを前記第１の保持手段から取得して前記携帯端末装置に送信する第１の送信手段とを備え、
前記第１の携帯端末装置は、
前記第１のサーバ装置から、所望のセットを受信する第２の受信手段と、
前記第２の受信手段が受信した前記所望のセットを保持する第２の保持手段と、
前記入力部を用いて入力したメール本文中に、前記第２の保持手段が保持する絵文字の画像データを配置する指示が前記入力部を用いて入力された場合、前記メールのデータ中に、前記絵文字の画像データを特定する情報、及び当該画像データとセットになっているアドレスデータとを記述する記述手段とを備え、
前記第２の携帯端末装置は、
前記メールの文章と共に、前記記述手段による記述に従って前記メール本文中に前記絵文字の画像データを表示する表示手段と、
前記絵文字の画像データを前記入力部を用いて指示された場合、前記絵文字の画像データとセットになっているアドレスデータで指定される前記第２のサーバ装置に、前記第２の携帯端末装置の位置を示す情報であるか否かを前記前記第２のサーバ装置が判断可能な送信情報を送信する第２の送信手段と、
前記送信情報に応じた結果を前記第２のサーバ装置から受信して前記表示手段に表示させる表示制御手段とを備え、
前記第２のサーバ装置は、
各拠点に設けられた夫々の店舗に固有の情報を、当該夫々の店舗の位置情報と共に保持する第３の保持手段と、
前記夫々の店舗のうち、いくつかの店舗で共有される情報を保持する第４の保持手段と、
前記第２の携帯端末装置から送信された送信情報を受信する第３の受信手段と、
前記送信情報が、前記第２の携帯端末装置の位置を示す情報であるか否かを判断する判断手段と、
前記送信情報が前記第２の携帯端末装置の位置を示す情報である場合、当該情報と前記夫々の店舗の位置情報とを用いて前記第２の携帯端末装置の近傍に位置する所定個数の店舗の夫々に固有の情報を前記第３の保持手段から取得し、前記第２の携帯端末装置に送信する第３の送信手段と、
前記送信情報が前記第２の携帯端末装置の位置を示す情報でない場合、前記いくつかの店舗で共有される情報を前記第４の保持手段から取得し、前記第２の携帯端末装置に送信する第４の送信手段と
を備えることを特徴とする。
【００２４】
本発明の目的を達成するために、例えば本発明のサーバ装置は以下の構成を備える。
【００２５】
すなわち、携帯端末装置に対してネットワークを介して各種の情報提供を行うサーバ装置であって、
メール本文中に使用するための店舗を表現する絵文字の画像データ、当該店舗を特定する特定データ、前記サーバ装置の前記ネットワーク上におけるアドレスを示すアドレスデータのセットを複数保持する第１の保持手段と、
前記第１の保持手段が保持する複数のセットのうち、前記携帯端末装置から所望の絵文字の画像データの要求を受信する第１の受信手段と、
要求された絵文字の画像データ、当該画像データとセットとなっているアドレスデータ、特定データを前記第１の保持手段から取得して前記携帯端末装置に送信する第１の送信手段と
各店舗の夫々について、各拠点に設けられた夫々の支店に固有の情報を、当該夫々の支店の位置情報と共に保持する第２の保持手段と、
前記夫々の支店のうち、いくつかの支店で共有される情報を保持する第３の保持手段と、
携帯端末装置から送信された送信情報を受信する第２の受信手段と、
前記送信情報が、前記携帯端末装置の位置を示す情報であるか否かを判断する判断手段と、
前記送信情報が前記携帯端末装置の位置を示す情報である場合、当該情報と、前記特定データで特定される店舗の夫々の支店の位置情報とを用いて前記携帯端末装置の近傍に位置する所定個数の支店の夫々に固有の情報を前記第２の保持手段から取得し、前記携帯端末装置に送信する第２の送信手段と、
前記送信情報が前記携帯端末装置の位置を示す情報でない場合、前記特定データで特定される店舗のいくつかの店舗で共有される情報を前記第３の保持手段から取得し、前記携帯端末装置に送信する第３の送信手段と
を備えることを特徴とする。
【００２６】
【発明の実施の形態】
以下添付図面を参照して、本発明を好適な実施形態に従って詳細に説明する。
【００２７】
［第１の実施形態］
図１に、本実施形態に係るシステムの基本構成を示す。本実施形態に係るシステムは、携帯端末装置１０１，基地局１０２，ネットワーク１０３，サーバ装置１０４，サーバ装置１０５，１０６，１０７，携帯端末装置１０８により構成されている。
【００２８】
本実施形態では携帯端末装置１０１を携帯電話としているが、これに限定されるものではなく、ほかにもＰＤＡやノート型パソコンなどであっても良い。携帯端末装置１０１には、各種の情報を表示可能な表示部１０１ａと、各種の指示を入力可能な操作部１０１ｂが備わっている。また、携帯端末装置１０１は、ダウンロードした絵文字に係るデータを複数登録したり、作成中のメールの文章のデータを記憶するためのメモリ１０１ｃと、各種の処理を行うＣＰＵ１０１ｄとを備える。
【００２９】
基地局１０２は、ネットワーク１０３を介して携帯端末装置１０１や携帯端末装置１０８等の携帯端末装置とサーバ装置１０４，１０５，１０６，１０７とのデータ通信を行うためのものである。基地局が行う処理は周知の通りであるので、ここでの説明は省略する。ネットワーク１０３は、一般にインターネットを指すがこれに限定されるものではない。
【００３０】
サーバ装置１０４は、Ａ社のマークを示す絵文字の画像データ、Ｂ社のマークを示す絵文字の画像データ、Ｃ社のマークを示す絵文字の画像データを記憶保持すると共に、夫々の会社に関する情報提供サービスを行うサーバ装置１０５、１０６，１０７のネットワーク上のアドレスを指定するアドレスデータを記憶保持する。
【００３１】
そして例えば携帯端末装置１０１からＡ社のマークを示す絵文字の画像データのダウンロードの要求を受けた場合、サーバ装置１０４は要求に応じてＡ社のマークを示す絵文字の画像データと共に、Ａ社に関する情報提供サービスを行うサーバ装置１０５のアドレスデータを携帯端末装置１０１に送信する。
【００３２】
サーバ装置１０４は、ＣＰＵ１１０、ＲＡＭ１１１、ＲＯＭ１１２、表示部１１３、外部記憶装置１１４，記憶媒体ドライブ１１５，そしてＩ／Ｆ１１６により構成されている。
【００３３】
ＣＰＵ１１０は、ＲＡＭ１１１やＲＯＭ１１２に記憶されているプログラムやデータを用いてサーバ装置１０４全体の制御を行うと共に、サーバ装置１０４と他の機器とのデータ通信をも制御する。ＲＡＭ１１１は外部記憶装置１１４、もしくは記憶媒体ドライブ１１５からロードされたプログラムやデータを記憶保持するエリアを備えると共に、ＣＰＵ１１０の処理対象のデータを一時的に記憶したり、ＣＰＵ１１０が各種の処理を行うために使用するワークエリアを備える。
【００３４】
ＲＯＭ１１２はサーバ装置１０４全体の制御を行うためのプログラムやデータを格納する。表示部１１３はＣＲＴや液晶画面などにより構成されており、サーバ装置１０４の状態や、サーバ装置１０４に絵文字の画像データと、この絵文字に応じた情報提供を行うサーバ装置のネットワーク上のアドレスを指定するアドレスデータとを登録するための操作画面などを表示する。
【００３５】
外部記憶装置１１４は、ハードディスクドライブ装置に代表される大容量情報記憶装置で、絵文字の画像データと、この絵文字に応じた情報提供を行うサーバ装置のネットワーク上のアドレスを指定するアドレスデータとのセットを複数記憶保持している。
【００３６】
即ち本実施形態では外部記憶装置１１４は、Ａ社のマークを示す絵文字の画像データと、Ａ社に関する情報提供を行うサーバ装置１０５のネットワーク上のアドレスを指定するアドレスデータとのセット、Ｂ社のマークを示す絵文字の画像データと、Ｂ社に関する情報提供を行うサーバ装置１０６のネットワーク上のアドレスを指定するアドレスデータとのセット、Ｃ社のマークを示す絵文字の画像データと、Ｃ社に関する情報提供を行うサーバ装置１０７のネットワーク上のアドレスを指定するアドレスデータとのセットを記憶保持する。
【００３７】
例えば本実施形態に係る外部記憶装置１１４は、図５に示すような各絵文字の画像データと、各アドレスデータとを関連づけたテーブルを記憶保持する。
【００３８】
また、外部記憶装置１１４は他の機器とのデータ通信を行うためのプログラムやデータなどを記憶しており、これらは必要に応じてＲＡＭ１１１に読み出される。なお、これらのプログラムやデータはＣＤ−ＲＯＭやＤＶＤ−ＲＯＭなどの記憶媒体に記憶させておいてもよく、その場合、記憶媒体ドライブ１１５により、これらの記憶媒体が記憶しているプログラムやデータを読み出し、ＲＡＭ１１１や外部記憶装置１１４に読み出したプログラムやデータを出力する。
【００３９】
１１６はＩ／Ｆ部で、上記ネットワーク１０３と接続するためのもので、ネットワークを介して他の機器とのデータ通信を行うために使用される。１１７は上述の各部を繋ぐバスである。
【００４０】
１０５，１０６，１０７は夫々、Ａ社、Ｂ社、Ｃ社に対して設けられたサーバ装置で、夫々Ａ社、Ｂ社、Ｃ社に関する後述の情報提供サービスを行う。なお、Ａ社、Ｂ社、Ｃ社はいずれも各拠点に支店（店舗）を有しているものとする。また、Ａ社、Ｂ社、Ｃ社もまた夫々を「店舗」と呼称する場合がある。
【００４１】
本実施形態では説明上、Ａ社をコンビニエンスストアの会社、Ｂ社を電気店の会社、Ｃ社を飲食店の会社とする。よってサーバ装置１０５はＡ社のコンビニエンスストアに関する情報を提供するサービスを行い、サーバ装置１０６はＢ社の電気店に関する情報を提供するサービスを行い、サーバ装置１０７はＣ社の飲食店に関する情報を提供するサービスを行う。各情報提供サービスに関する詳細な説明は後述する。
【００４２】
なお本実施形態では会社の数（会社のサーバの数）を３つとしているが、この数に限定されるものではない。また、Ａ社、Ｂ社、Ｃ社が何の会社であっても良いことはいうまでもない。また例えば、Ａ社を（店舗を）各地に点在している美術館などの公共施設に関する情報提供を行うための施設としても良い。その場合、Ａ社に対して設けられるサーバ装置１０５は、美術館に関する情報を提供するサービスを行う。
【００４３】
次にサーバ装置１０５の基本構成について説明する。なお、本実施形態ではサーバ装置１０６，１０７もサーバ装置１０５の基本構成と同じものであるとするので、以下の説明はサーバ装置１０６，１０７についても同様であるが、以下の説明をサーバ装置１０６，１０７に対する説明とするためには、「サーバ装置１０５」を夫々「サーバ装置１０６」、「サーバ装置１０７」と読み替え、更に「Ａ社」を夫々「Ｂ社」、「Ｃ社」と読み替えればよい。
【００４４】
しかし、夫々のサーバ装置は全く同じ構成である必要はなく、以下説明する為の処理を行うだけの構成を有していればよい。
【００４５】
ＣＰＵ１５０は、ＲＡＭ１５１やＲＯＭ１５２に記憶されているプログラムやデータを用いてサーバ装置１０５全体の制御を行うと共に、サーバ装置１０５と他の機器とのデータ通信をも制御する。ＲＡＭ１５１は外部記憶装置１５４、もしくは記憶媒体ドライブ１５５からロードされたプログラムやデータを記憶保持するエリアを備えると共に、ＣＰＵ１５０の処理対象のデータを一時的に記憶したり、ＣＰＵ１５０が各種の処理を行うために使用するワークエリアを備える。
【００４６】
ＲＯＭ１５２はサーバ装置１０５全体の制御を行うためのプログラムやデータを格納する。表示部１５３はＣＲＴや液晶画面などにより構成されており、サーバ装置１０５の状態や、Ａ社に関する情報提供サービスを行うプログラムやデータをサーバ装置１０５に登録するための操作画面などを表示する。
【００４７】
外部記憶装置１１４は、ハードディスクドライブ装置に代表される大容量情報記憶装置で、Ａ社の夫々の店舗に固有の情報を、夫々の店舗の位置情報と共に保持すると共に、Ａ社の夫々の店舗のうち、いくつかの店舗で共有される情報を保持する。外部記憶装置１１４が保持する情報群については後述する。
【００４８】
また、外部記憶装置１１４は他の機器とのデータ通信を行うためのプログラムやデータなどを記憶しており、これらは必要に応じてＲＡＭ１５１に読み出される。なお、これらのプログラムやデータはＣＤ−ＲＯＭやＤＶＤ−ＲＯＭなどの記憶媒体に記憶させておいてもよく、その場合、記憶媒体ドライブ１５５により、これらの記憶媒体が記憶しているプログラムやデータを読み出し、ＲＡＭ１５１や外部記憶装置１５４に読み出したプログラムやデータを出力する。
【００４９】
１５６はＩ／Ｆ部で、上記ネットワーク１０３と接続するためのもので、ネットワークを介して他の機器とのデータ通信（データの送受信）を行うために使用される。１５７は上述の各部を繋ぐバスである。
【００５０】
携帯端末装置１０８は携帯端末装置１０１と同様の携帯端末装置であり、表示部１０８ａ、操作部１０８ｂ、メモリ１０８ｃ、ＣＰＵ１０８ｄを備えるが、本実施形態の携帯端末装置１０８はこれに加えてＧＰＳ機能を有する。
【００５１】
＜絵文字のデータのダウンロード＞
上記システムにおいて、サーバ装置１０４が記憶保持する複数のセット（夫々のセットは絵文字の画像データと、この絵文字に応じた情報提供を行うサーバ装置のネットワーク上のアドレスを指定するアドレスデータとで構成されている）の中から、携帯端末装置１０１から要求された絵文字の画像データと、この画像データとセットとなっているアドレスデータを取得して、サーバ装置１０４から携帯端末装置１０１にダウンロードするために、サーバ装置１０４、携帯端末装置１０１の夫々が行う処理について、同処理のフローチャートを示す図２を用いて以下説明する。
【００５２】
なお、図２において、サーバ装置１０４が行う処理に従ったプログラムは外部記憶装置１１４に保存されており、ＲＡＭ１１１にロードし、ＣＰＵ１１０がこのプログラムを実行することで、サーバ装置１０４は以下説明するサーバ装置１０４が行うべき処理を実現する。
【００５３】
同様に、図２において携帯端末装置１０１が行う処理に従ったプログラムはメモリ１０１ｃに保持されており、ＣＰＵ１０１ｄがこのプログラムを実行することで、携帯端末装置１０１は以下説明する携帯端末装置１０１が行うべき処理を実現する。
【００５４】
なお、図２に示したフローチャートに従った処理が行われる前に、携帯端末装置１０１はサーバ装置１０４とデータ通信が可能な状態になっており、サーバ装置１０４が記憶保持する複数のセットの中から所望のセットを選択して携帯端末装置１０１にダウンロードするための画面が携帯端末装置１０１の表示部１０１ａに表示されている状態になっているものとする。これは携帯端末装置１０１から、サーバ装置１０４が提供する、絵文字ダウンロードサイトにアクセスすることで実現することができる。
【００５５】
図３は、携帯端末装置１０１の表示部１０１ａに表示される、上記ダウンロードサイトの画面の表示例を示す図である。同図において３０１乃至３０３は夫々サーバ装置１０４が記憶保持する（具体的には外部記憶装置１１４が記憶保持する）絵文字の画像データである。本実施形態では画像３０１はＡ社のマーク、画像３０２はＢ社のマーク、そして画像３０３はＣ社のマークを示しているものとする。なお各画像の表示形態としてはサムネイル表示を行うのが好ましい。
【００５６】
よって例えば画像３０１（Ａ社のマークを示す絵文字の画像データ）を携帯端末１０１が有する操作部１０１ｂを用いて選択し、選択した画像３０１のデータを携帯端末装置１０１にダウンロードすれば、その後この携帯端末装置１０１を用いて例えば「今日、Ａ社のコンビニエンスストアに行った」という文章をメールとして作成する場合、「Ａ社のコンビニエンスストア」の部分の代わりにダウンロードした絵文字の画像データ（即ち、Ａ社のマークを示す絵文字「＠」の画像データ）を用いて「今日、＠に行った」という、メールの本文中に絵文字の画像を含むメールを作成することができる。
【００５７】
なお、同図では３つ以上の絵文字の画像は便宜上省略しているが、３つ以上の絵文字の画像を表示しても良い。また表示する絵文字の画像が表示部１０１ａに表示しきれない場合、操作部１０１ｂを用いてボタン３０６，３０７を押下することで、表示領域内に表示される絵文字の画像を上下にスクロールさせることができる。これにより、表示領域内に表示しきれない絵文字の画像も表示させることができる。
【００５８】
よって実際に携帯端末装置１０１のユーザが所望の絵文字の画像データのダウンロードを行いたい場合、ユーザは操作部１０１ｂを操作してカーソル３０５を移動させ、ダウンロードしたい絵文字の画像を選択する。また必要に応じて上記ボタン３０６，３０７を押下して上記絵文字表示領域をスクロールさせても良い。同図の状態では現在選択している絵文字の画像は３０１の絵文字である。
【００５９】
なお現在選択している絵文字を特定する方法はこれに限定されるものではなく、他にも例えば、選択されている絵文字のみ枠を表示しても良いし、選択されている絵文字以外の絵文字の画像を選択されている画像に比べて暗く表示しても良い。
【００６０】
以上説明した方法によりダウンロードする対象の絵文字が決定したところで、ダウンロードする絵文字の画像領域を指示（クリックなど、決定した絵文字の画像を指示する行為であればよい）すると、ダウンロードする対象の絵文字が決定するので、携帯端末装置１０１からサーバ装置１０４に対して、決定した絵文字の画像データ（のダウンロード）を要求する（ステップＳ２１１）。
【００６１】
サーバ装置１０４のＣＰＵ１１０はこの要求を受信すると（ステップＳ２０１）、要求に応じた絵文字の画像データと、この絵文字とセットになっているアドレスデータを外部記憶装置１１４から特定してＲＡＭ１１１にロードし、携帯端末装置１０１に送信する（ステップＳ２０２）。
【００６２】
携帯端末装置１０１はサーバ装置１０４から送信された絵文字の画像データとアドレスデータとのセットを受信し、上記メモリ１０１ｃに格納する（ステップＳ２１２）。これにより、携帯端末装置１０１を用いてメールを作成する際に、ダウンロードした絵文字の画像データを用いることができる。
【００６３】
＜ダウンロードした絵文字の画像データを用いたメールの作成＞
上述の通り、ダウンロードした絵文字の画像データは、携帯端末装置１０１において、メールを作成する際に用いることができる。よって以下では、作成しているメールの文章中の所望の位置に、ダウンロードした絵文字の画像データを配置する場合に、携帯端末装置１０１が行う処理について説明する。
【００６４】
なお本実施形態に係るメールは文章中に画像を配置するわけであるから、メールのデータはＨＴＭＬ形式でメモリ１０１ｃに記述されるものとする。よって以下、メールのデータをＨＴＭＬデータと呼称する場合もある。なお、メールのデータをＨＴＭＬ形式でメモリ１０１ｃに記述する処理は携帯端末装置１０１のＣＰＵ１０１ｄが行い、携帯端末装置１０１のユーザは単にメールの文章を入力したり、絵文字の画像データを選択し、配置指示を行う操作を行うだけでよい。
【００６５】
また、携帯端末装置１０１はＨＴＭＬ形式で記述されたメールのデータを表示部１０１ａに表示するわけであるから、本実施形態に係る携帯端末装置１０１はＨＴＭＬブラウザ機能（メールのデータに含まれるタグを解釈し、それに従った処理を行う機能）を有しているものとする。なお、ブラウザ機能は携帯端末装置１０１内に予め記憶されているＨＴＭＬブラウザプログラムをＣＰＵ１０１ｄが実行することにより実現される。
【００６６】
携帯端末装置１０１のユーザが操作部１０１ｂを用いて周知の方法によりメールの文章を入力すると、入力された文章のデータはメモリ１０１ｃに入力される。即ち、メモリ１０１ｃには作成中のメールの文章のデータが記憶されている。
【００６７】
図１１（ａ）、（ｂ）は夫々、「今日に行ってきたよ」というメールの文章を入力した場合に表示部１０１ａに表示される画面と、そのときにメモリ１０１ｃに記憶されているメールの文章データの内容を示す図である。操作部１０１ｂを用いて「今日に行ってきたよ」と入力すると、表示部１０１ａには入力したとおりの文章「今日に行ってきたよ」が表示され、メモリ１０１ｃには「今日に行ってきたよ」という文字列のデータ（例えば文字コード群）が記憶される。また上述の通り本実施形態ではメールのデータはＣＰＵ１０１ｄによりＨＴＭＬ形式でメモリ１０１ｃに記述されるので、ＣＰＵ１０１ｄはユーザによるメールの作成に先立って、メールのデータの先頭、末尾には夫々＜ＨＴＭＬ＞、＜／ＨＴＭＬ＞のタグを付ける。なお、これ以外にもメールの書式を制御するためのタグを付けても良い。
【００６８】
次に、携帯端末装置１０１のユーザが作成中のメールの文章である「今日に行ってきたよ」中の所望の位置（例えば文章中のカーソルの位置であって、以下の説明では「今日」と「に行ってきたよ」の間の位置とする）に、所望の絵文字の画像データを配置したい場合、まず所望の絵文字の画像データを選択する必要がある。これについては例えば操作部１０１ｂを操作してダウンロードした絵文字の画像データを表示部１０１ａに一覧表示させ（一覧表示されるのは例えばダウンロードした絵文字の画像データのサムネイル画像であっても良い）、一覧表示された中から操作部１０１ｂを用いて所望の絵文字画像データを選択する。
【００６９】
この一覧表示される対象は、例えば特定のフォルダ（ダウンロードした絵文字の画像データを保存するためのフォルダ）内の全ての画像データとする。
【００７０】
その結果、配置する所望の絵文字の画像データを決定することができるので、ＣＰＵ１０１ｄは、メモリ１０１ｃに予めダウンロードされたプログラムを実行することで、図１２に示すように、メモリ１０１ｃが保持する「今日に行ってきたよ」の文章データにおいて、「今日」と「に行ってきたよ」の間に、タグ１２０１ａ、１２０１ｂを記述する。
【００７１】
図１２は、上記所望の絵文字を「＠」（画像ファイル名はａｔｔｏ．ｇｉｆ）とした場合に、ＣＰＵ１０１ｄによってメモリ１０１ｃに記述された結果（ＨＴＭＬデータ）を示す図である。またこの場合、絵文字「＠」の画像データは携帯端末装置１０１のメモリ１０１ｃに予め上述の処理によってダウンロードされているものとする。
【００７２】
「今日＠に行ってきたよ」において絵文字の画像データ以外の部分「今日」、「行ってきたよ」は上述の通り文字列のデータとしてメモリ１０１ｃに記憶される。一方、絵文字「＠」の画像データを配置する位置、即ち上記所望の位置に対応するメモリ１０１ｃにおける位置には、携帯端末装置１０１のメモリ１０１ｃにおいて絵文字「＠」の画像データを指定するデータ（タグ）１２０１ａと共に、絵文字「＠」に応じた情報提供（Ａ社に関する情報提供）を行うサーバ装置１０５のネットワーク上のアドレスを指定するアドレスデータに従ったタグ１２０１ｂが記述されている。
【００７３】
タグ１２０１ａは、メモリ１０１ｃ中の絵文字「＠」の画像データの位置（「．．／ｄａｔａ／ｉｍａｇｅ／ａｔｔｏ．ｇｉｆ」）を示すものであり、ＣＰＵ１０１ｄはこのタグ１２０１ａを参照すると、メモリ１０１ｃ中の絵文字「＠」の画像データの所在を特定することができる。ちなみにこの場合、上記特定のフォルダは「．．／ｄａｔａ／ｉｍａｇｅ／」に対応する。
【００７４】
タグ１２０１ｂは、絵文字「＠」に応じた情報提供（Ａ社に関する情報提供）を行うサーバ装置１０５のネットワーク上のアドレスを指定するためのタグである。タグ１２０１ｂは、絵文字「＠」の画像データと共にサーバ装置１０４から受信したアドレスデータをタグとして用いたものである。
【００７５】
このような処理を携帯端末装置１０１が行うことにより、携帯端末装置１０１のユーザにＨＴＭＬに関する知識が無くても、メール本文中の所望の位置に、絵文字の画像データを配置することができる。
【００７６】
なお本実施形態では、サーバ装置１０５と携帯端末装置１０１とはインターネットを介して通信可能であるので、このタグ１２０１ｂにはアドレスとしてＵＲＬを用いているが、ネットワークの種類によってはアドレスの表現方法はこれに限定されるものではない。
【００７７】
またこのタグ１２０１ｂは厳密には、サーバ装置１０５がＡ社に関する情報提供を行うためのプログラムやデータを保持している外部記憶装置１１４内の場所のネットワーク上のアドレスデータであるが、説明上、タグ１２０１ｂは「Ａ社のサーバ装置１０５のネットワーク上のアドレスを指定するためのもの」とする。
【００７８】
図１２に示したメモリ１０１ｃが保持するメールデータに従った表示部１０１ａへの表示は図４に示す如く行われる。図４は、図１２に示したメモリ１０１ｃが保持するメールデータに従った表示部１０１ａにおける表示を示す図である。上述の通り携帯端末装置１０１はブラウザ機能を有しているので、以下の通り各タグを解釈して表示する。
【００７９】
文字列データの部分「今日」、「に行ってきたよ」はそのまま文字列として表示部１０１ａに表示される。また、タグ１２０１ａはブラウザ機能により解釈され、「．．／ｄａｔａ／ｉｍａｇｅ／ａｔｔｏ．ｇｉｆ」で特定される絵文字「＠」の画像データ４０１をタグ１２０１ａの位置、すなわち「今日」の次の位置に表示する。タグ１２０１ｂはブラウザ機能により解釈され、絵文字「＠」の画像データ４０１は指示可能であることを示すために、絵文字「＠」の画像データに枠が表示される。
【００８０】
上記タグ１２０１ａ、１２０１ｂに係る機能については周知の通りであるので、これ以上の説明は省略する。
【００８１】
なお、指示可能な絵文字を示す方法はこれに限定されるものではなく、ＨＴＭＬ（ＣＧＩ）のプログラムによっては画像の色を反転させたり、点滅させたりして、指示可能な絵文字を示しても良い。
【００８２】
以上のようにして、ダウンロードした絵文字を用いてメールを作成することができるので、メールの作成が完了して携帯端末装置１０１のユーザは操作部１０１ｂを用いて送信指示を入力すると、ＣＰＵ１０１ｄはメモリ１０１ｃに記憶されているメールのデータ（ＨＴＭＬデータ）と、ＨＴＭＬデータで参照されている絵文字の画像データ（上述の説明では絵文字「＠」の画像データ）とを送信メールとして他の装置に送信する処理を行う（メールの送信については基地局１０２を介して行われるが、メールの送受信技術に関しては公知であるためにここでの説明を省略する）。
【００８３】
＜ダウンロードした絵文字の利用＞
図１２に示したメールのデータ（ＨＴＭＬデータ）及び、絵文字「＠」の画像データを送信メールとして携帯端末装置１０１から携帯端末装置１０８に送信した場合に、携帯端末装置１０８においてこのメールに含まれる絵文字の利用について説明する。
【００８４】
携帯端末装置１０８は受信したＨＴＭＬデータ、絵文字「＠」の画像データに従って送信メールの内容を表示部１０８ａに表示するので、携帯端末装置１０１と同様、ＨＴＭＬブラウザ機能（メールのデータに含まれるタグを解釈し、それに従った処理を行う機能）を有しているものとする。なお、ブラウザ機能は携帯端末装置１０８内に予め記憶されているＨＴＭＬブラウザプログラムをＣＰＵ１０８ｄが実行することにより実現される。
【００８５】
携帯端末装置１０８は携帯端末装置１０１から送信された送信メールを受信すると、メモリ１０８ｃに格納する。ここで、送信メールに含まれるＨＴＭＬデータ中のタグ１２０１ａによれば、絵文字「＠」の画像データはメモリ１０８ｃ中の「．．／ｄａｔａ／ｉｍａｇｅ／ａｔｔｏ．ｇｉｆ」で特定される位置に格納されていないと、ＣＰＵ１０８ｄは表示すべき絵文字「＠」の画像データをメモリ１０８ｃから特定することができず、ＨＴＭＬデータに従ったメールの内容を表示部１０８ａに表示した場合、文字列（「今日」の部分と「に行ってきたよ」の部分）のみが表示され、絵文字「＠」の画像データを表示すべきところに絵文字「＠」の画像データが表示されないことになる。
【００８６】
よって携帯端末装置１０８のメモリ１０８ｃには、予め「／ｄａｔａ／ｉｍａｇｅ／」のフォルダが作成されており、携帯端末装置１０１から受信した絵文字「＠」の画像データはこのフォルダに格納するものとする。
【００８７】
また送信メールに含まれるＨＴＭＬデータはメモリ１０８ｃの空きエリアに格納される。
【００８８】
これにより、携帯端末装置１０８は携帯端末装置１０１から送信された送信メールに含まれるＨＴＭＬデータ、絵文字「＠」の画像データに従ってメールの内容を表示部１０８ａに表示することができる。本実施形態の場合、携帯端末装置１０８が有する表示部１０８ａには図４に示した画面と同じものが表示される。
【００８９】
次に、表示部１０８ａに表示された絵文字「＠」の画像データを用いて、サーバ装置１０５からＡ社に関する情報提供サービスを受けるためにサーバ装置１０５、携帯端末装置１０８が行う処理について、同処理のフローチャートを示す図６を参照して説明する。
【００９０】
なお、図６において、サーバ装置１０５が行う処理に従ったプログラムは外部記憶装置１５４に保存されており、ＲＡＭ１５１にロードし、ＣＰＵ１５０がこのプログラムを実行することで、サーバ装置１０５は以下説明するサーバ装置１０５が行うべき処理を実現する。
【００９１】
同様に、図６において携帯端末装置１０８が行う処理に従ったプログラムはメモリ１０８ｃに保持されており、ＣＰＵ１０８ｄがこのプログラムを実行することで、携帯端末装置１０８は以下説明する携帯端末装置１０８が行うべき処理を実現する。
【００９２】
携帯端末装置１０８のユーザが操作部１０８ｂを用いて領域４０１、即ち、「＠」の部分を指示（クリックなど、領域４０１を指示する行為であればよい）すると、携帯端末装置１０８のＣＰＵ１０８ｄは、メモリ１０８ｃに格納しているＨＴＭＬデータ中のタグ１２０１ｂを参照し、サーバ装置１０５のアドレスを特定する。その結果、特定したアドレス、即ちサーバ装置１０５にアクセスすることができる（ステップＳ６５１）。
【００９３】
また、携帯端末装置１０８には上述の通りＧＰＳ機能が搭載されており、この機能を用いることで携帯端末装置１０８自身の位置が計測可能であるため、ステップＳ６５１では更にサーバ装置１０５に携帯端末装置１０８の現在位置（緯度、経度）を示す情報を送信情報として送信する処理も行う。なお、携帯端末装置の位置を得る方法としては本実施形態ではＧＰＳ機能を用いているが、他にも例えば、近くの基地局（本実施形態の場合、基地局１０２）からこの基地局の位置（緯度、経度）を近似的に携帯端末装置１０８の位置として得る方法などがあり、それらの技術については周知の通りであるので、これについての説明は省略する。
【００９４】
なお、携帯端末装置１０８にＧＰＳ機能が搭載されていない場合、本実施形態では位置情報として例えば、緯度、経度共に「９９９」の用に、緯度、経度を表す数値としてあり得ない数値を用いるが、これに限定されるものではない。
【００９５】
以上のようにして、携帯端末装置１０８は、自身の位置を得ることができるか否かを判断し、その判断結果に応じて送信情報を生成するが、このような処理をＣＰＵ１０８ｄに行わせるプログラムはメモリ１０８ｃに予め保持されているものとする。
【００９６】
サーバ装置１０５は携帯端末装置１０８からのアクセスを検知し、上記送信情報を受信すると（ステップＳ６０１）、送信情報を参照し、送信情報が携帯端末装置１０８の位置を示す情報であるか否か、言い換えれば、「携帯端末装置１０８のＧＰＳ機能の有無」を判断する（ステップＳ６０２）。
【００９７】
判断の方法としては、送信情報に含まれる（緯度、経度）の情報が「９９９」などのあり得ない数値ではない場合、送信情報は携帯端末装置１０８の位置情報であると判断することができるので、サーバ装置１０５は携帯端末装置１０８にはＧＰＳ機能が備わっていると判断する。
【００９８】
一方、送信情報に含まれる（緯度、経度）の情報が「９９９」などのあり得ない数値の場合、送信情報は携帯端末装置１０８の位置情報はないとであると判断することができるので、サーバ装置１０５は携帯端末装置１０８にはＧＰＳ機能は備わっていないと判断する。
【００９９】
ステップＳ６０２における判断の結果、携帯端末装置１０８にＧＰＳ機能が備わっていると判断した場合、処理をステップＳ６０３に進め、サーバ装置１０５は携帯端末装置１０８の近傍に位置する所定個数の支店データをＲＡＭ１５１にロードする（ステップＳ６０３）。
【０１００】
ステップＳ６０３における処理について、更に詳細に説明する。図７（ａ）は、Ａ社が有する各支店のコンビニエンスストアの緯度、経度を示すテーブルを示す図、図７（ｂ）は、図７（ａ）に示した各支店に固有のデータである支店データ群（有楽町支店データは有楽町支店固有のデータ、銀座支店データは銀座支店固有のデータ、新宿支店データは新宿支店固有のデータ）を示す図である。支店データについては後述する。これらのテーブル、そして支店データは、サーバ装置１０５の外部記憶装置１５４内に保存されている。
【０１０１】
ステップＳ６０３では携帯端末装置１０８の位置情報と図７（ａ）に示すテーブルとにおいて夫々の緯度、経度を比較し、携帯端末装置１０８の位置と近い順に所定個数の支店を検索する。この「所定の数」は予めサーバ装置１０５で設定していても良いし、携帯端末装置１０８で設定しても良い。そして検索した支店（携帯端末装置１０８の近傍に位置する支店）の支店データを外部記憶装置１５４から取得してＲＡＭ１５１にロードする。
【０１０２】
なお、図７（ａ）、図７（ｂ）に示したテーブル、支店データはＡ社のコンビニエンスストアに関するものに限定されることなく、Ｂ社の電気店、Ｃ社の飲食店に関するものであっても良い。その場合、図７（ａ）、図７（ｂ）に示したテーブル、支店データがＢ社の電気店に関するものであれば、このテーブル、そして支店データはサーバ装置１０６の外部記憶装置内に保存されることになり、図７（ａ）、図７（ｂ）に示したテーブル、支店データがＣ社の飲食店に関するものであれば、このテーブル、そして支店データはサーバ装置１０７の外部記憶装置内に保存されることになる。
【０１０３】
図６に戻って、ステップＳ６０２における判断の結果、携帯端末装置１０８にＧＰＳ機能が備わっていないと判断した場合、Ａ社のコンビニエンスストアの複数の支店のうち、いくつかの支店で共有される情報（一般データ）を外部記憶装置１５４から取得してＲＡＭ１５１にロードする（ステップＳ６０４）。一般データとしては例えば、いくつかの支店で行われるセールに関する情報、いくつかの支店でクーポンとして使用可能な画面を携帯端末装置１０８が有する表示部１０８ａに表示させるための情報などがある。これら一般データはサーバ装置１０５の外部記憶装置１５４内に予め保存されている。
【０１０４】
そして、外部記憶装置１５４から取得してＲＡＭ１５１にロードされたいくつかの支店データ、もしくは一般データを携帯端末装置１０８に送信する（ステップＳ６０５）。携帯端末装置１０８は受信したいくつかの支店データ、もしくは一般データを受信し（ステップＳ６５２）、表示部１０８ａに受信したデータを表示する（ステップＳ６５３）。
【０１０５】
図８は、受信したいくつかの支店データを携帯端末装置１０８の表示部１０８ａに表示した場合の表示例を示す図である。なお同図ではＡ社のコンビニエンスストアを「○Ｘストア」と呼称している。
【０１０６】
表示部１０８ａには各支店データ８０１，８０２が表示されている。本実施形態では支店データには、住所、電話番号、ファックス番号等のテキストデータ、そして支店近辺の地図情報（画像データ）が含まれているものとするが、これに限定されるものではない。なお、図８では、２つの支店データを表示しており、表示スペースの関係上、各支店の住所のみを表示している。
【０１０７】
よって本実施形態に係るシステムによると、携帯端末装置１０８のユーザは、携帯端末装置１０８がＧＰＳ機能を有している場合には、受信したメール中の絵文字を用いて、自身の位置の近傍の支店、例えばコンビニエンスストアの情報を得ることができる。
【０１０８】
なお、同図では２つ以上の支店データは便宜上省略しているが、２つ以上の支店データを表示しても良い。また表示する支店データが表示部１０８ａに表示しきれない場合、操作部１０８ｂを用いてボタン８０３，８０４を押下することで、支店データの表示領域内に表示される支店データを上下にスクロールさせることができる。これにより、支店データの表示領域内に表示しきれない絵文字も表示させることができる。
【０１０９】
また、図８に示した画面で携帯端末装置１０８のユーザは操作部１０８ｂを操作してカーソル８０５を移動させ、より詳細に見たい支店データを選択することができる。同図では現在選択している支店データはカーソル８０５が指す８０１の支店データである。なお支店データを選択するための手段はこれに限定されるものではなく、他にも例えば、選択されている支店データのみ枠を表示し、この枠を操作部１０８ｂを用いて移動させても良い。また、選択されている支店データを明瞭にするための方法として、例えば、選択されている支店データ以外の支店データの領域を選択されている領域に比べて暗く表示してもよい。
【０１１０】
以上説明した方法により、より詳細に見たい支店データが決定したところで、見たい支店データの表示領域を指示（クリックなど、見たい支店データを指示する行為であればよい）すると、表示部１０８ａには図９に示す画面が表示される。
【０１１１】
図９は、図８に示した画面で指示された支店の近傍の地図の画像の表示部１０８ａにおける表示例を示す図である。同図の画像データは上述の通り、支店データに含まれている。同図において９０１は指示された支店の位置を示す印である。同図の表示画面により、携帯端末装置１０８のユーザは図８の画面で指示した支店の近傍の地図情報を見ることができるので、携帯端末装置１０８のユーザは、より詳細に指示した支店の情報を得ることができる。
【０１１２】
図１０は、受信した上記一般データの一例として、セール情報の広告画面データを携帯端末装置１０８の表示部１０８ａに表示した場合の表示例を示す図である。同図は、７／２０〜８／２０までの期間にＡ社のコンビニエンスストアの一部の店舗で２０％ＯＦＦのキャンペーンを行う旨を示す広告の画面を示す。またこのほかにも一般データとして、会社のホームページのデータであっても良い。
【０１１３】
以上の説明により、本実施形態に係るシステムによって、各携帯端末装置のユーザが使用可能な絵文字を必要に応じて自身の携帯端末装置にダウンロードすることができると共に、この絵文字を使用したメールを受信した携帯端末装置のユーザは、この絵文字に応じた情報提供サービスを受けることができる。よって、汎用性の高い絵文字を用いたシステムを提供することができる。
【０１１４】
また、本実施形態では、絵文字を画像としたので、携帯端末装置の機種に依存することなく使用することができる。すなわち、画像データでもって表現されている上記絵文字を用いたメールを他の機種に送信しても、このメールを受信した携帯端末装置の表示画面には送信元の携帯端末装置側で意図した絵文字と同じものを表示させることができる。
【０１１５】
また本実施形態では情報提供サービスとして絵文字が表現する会社に関する情報を提供するサービスとしたが、これに限定されるものではない。
【０１１６】
また本実施形態では＜ダウンロードした絵文字の利用＞において、Ａ社のコンビニエンスストアに関する情報提供サービスについて説明したが、図４に例示した絵文字が絵文字３０２であった場合、図４に例示した絵文字が絵文字３０３であった場合であっても、処理の基本は同じであり、提供する情報の内容が異なるのみである。
【０１１７】
また本実施形態では絵文字は会社を表すものとしたが、一般に標章を表すものとしても良い。
【０１１８】
また本実施形態ではメールをＨＴＭＬにより記述したが、その他のマークアップ言語（例えばＳＧＭＬ等）を用いても良い。その場合、上記ブラウザはそのマークアップ言語に対応したものを用いる必要がある。
【０１１９】
また本実施形態ではメールの文章を作成した後に絵文字を挿入するといった手順でメールを作成したが、当然この手順はこれに限定されるものではなく、メールの文章の流れ通りに絵文字を挿入するようにしても良い。
【０１２０】
また本実施形態に係るシステムによると、Ａ社、Ｂ社、Ｃ社の夫々を示す絵文字がメールを介して一般に広く流通し、そしてその絵文字を用いて自社の情報を閲覧するユーザも増えるわけであるから、携帯端末装置に絵文字をダウンロードさせるためのサーバ装置１０４は、各社をより広く宣伝するための絵文字を供給する為の装置とすることができる。よって、本実施形態に係るシステムによると、各社の宣伝をより広く行うことができる。
【０１２１】
［第２の実施形態］
第１の実施形態に係るシステムは、絵文字の画像データと、この絵文字に応じた情報提供サービスを行うサーバ装置のネットワーク上におけるアドレスを示すアドレスデータとのセットを保持するサーバ装置（サーバ装置１０４）と、情報提供サービスを行うサーバ装置（サーバ装置１０５、１０６，１０７）とは別個の装置であった。
【０１２２】
本実施形態に係るシステムは、これらのサーバ装置を１つにまとめ、この１つのサーバ装置により、携帯端末装置に絵文字の画像データ、アドレスデータのセットをダウンロード可能にすると共に、各社に対する情報提供サービスを行う。
【０１２３】
図１３は本実施形態に係るシステムの基本構成を示す図である。図１と同じ部分については同じ番号を付けている。同図に示した基本構成は図１に示したものからサーバ装置１０５〜１０７を除いたものである。
【０１２４】
本実施形態に係るサーバ装置１３０１は、携帯端末装置１０１から要求された絵文字の画像データと、アドレスデータを送信するが、このアドレスデータは第１の実施形態とは異なり、サーバ装置１３０１のネットワーク上におけるアドレスを示す。また、サーバ装置１３０１はこれに加えてこの絵文字に予め付けられたＩＤを携帯端末装置１０１に送信する。なお、この絵文字がどの会社を表現するのかを示す情報（絵文字を特定する情報）であればＩＤでなくても良く、他にも例えば絵文字のファイル名などでも良い。
【０１２５】
そして携帯端末装置１０１において受信した絵文字の画像データを用いて第１の実施形態と同様にしてメールを作成し、携帯端末装置１０８に送信する場合、送信メールにはＨＴＭＬデータ、絵文字の画像データと共に、上記ＩＤが含まれる。すなわち、使用されている絵文字のがどの会社を示すものであるかを示す情報が含まれる。
【０１２６】
よって携帯端末装置１０８が上記送信メールを受信し、携帯端末装置１０８のユーザが表示部１０８ａに表示されたメールの本文中の絵文字を指示すると、携帯端末装置１０８はサーバ装置１３０１に送信情報を送信することになる。本実施形態ではこの送信情報には携帯端末装置１０８の位置情報と共に上記ＩＤが含まれているものとする。
【０１２７】
サーバ装置１３０１は、第１の実施形態における各サーバ装置１０５〜１０７が保持していた情報提供サービスの為のプログラムやデータを夫々の会社毎にＩＤ（上記ＩＤと対応する）を付けて外部記憶装置１１４に保持しており、携帯端末装置１０８から受信した送信情報に含まれるＩＤに対応する会社に関する情報提供サービスを第１の実施形態と同様にして行う。
【０１２８】
携帯端末装置１０８から送信されたＩＤを用いて対応する会社が決定すれば、以降、この会社に関する情報提供サービスを行うが、情報提供サービスを行うためにサーバ装置１３０１が行う処理については第１の実施形態において説明したサーバ装置１０５が行う処理と同じである。例えばＡ社（店舗）の支店について、各支店で固有の情報、もしくはいくつかの支店で共有される情報を提供する。
【０１２９】
以上のように、絵文字のダウンロードサービス、各会社に関する情報提供サービスを行うサーバ装置を１つにまとめることも可能である。
【０１３０】
なお本実施形態では、サーバ装置１３０１が、携帯端末装置１０８にどの会社に関する情報提供サービスを行うのかを決定するために、ＩＤを携帯端末装置１０８から受信していたが、サーバ装置１３０１においてどの会社に関する情報提供サービスを行うのかを決定するために手段はこれに限定されるものではなく、他にも例えば、上述の通り、携帯端末装置１０８において指示した絵文字の画像データのファイル名をサーバ装置１３０１に送信情報に含めて送信し、サーバ装置１３０１はこのファイル名からどの会社に関する情報提供サービスを行うのかを決定しても良い。
【０１３１】
また別の方法を説明する。サーバ装置１３０１は、夫々の会社に関する情報提供サービスの為のプログラムやデータを夫々異なるフォルダに保持しておく。例えばＡ社に関する情報提供サービスを行うためのプログラムやデータを保持するフォルダ名を「Ａ−ｉｎｆ」とし、サーバ装置１３０１のネットワーク上のアドレスを「ｈｔｔｐ：／／ｗｗｗ．ｘｙｚ．ｃｏ．ｊｐ／」とすると、アドレスデータ（タグ１２０１ｂ）を、「ｈｔｔｐ：／／ｗｗｗ．ｘｙｚ．ｃｏ．ｊｐ／Ａ−ｉｎｆ」のように、Ａ社のフォルダを指定するようにすれば、サーバ装置１３０１はアクセスされたフォルダのプログラムやデータを用いてＡ社に関する情報提供サービスを行うことができる。この場合、携帯端末装置１０８からサーバ装置１３０１に別段ＩＤを送信する必要はない。
【０１３２】
［他の実施形態］
本発明の目的は、前述した実施形態の機能を実現するソフトウェアのプログラムコードを記録した記憶媒体（または記録媒体）を、システムあるいは装置に供給し、そのシステムあるいは装置のコンピュータ（またはＣＰＵやＭＰＵ）が記憶媒体に格納されたプログラムコードを読み出し実行することによっても、達成されることは言うまでもない。この場合、記憶媒体から読み出されたプログラムコード自体が前述した実施形態の機能を実現することになり、そのプログラムコードを記憶した記憶媒体は本発明を構成することになる。また、コンピュータが読み出したプログラムコードを実行することにより、前述した実施形態の機能が実現されるだけでなく、そのプログラムコードの指示に基づき、コンピュータ上で稼働しているオペレーティングシステム（ＯＳ）などが実際の処理の一部または全部を行い、その処理によって前述した実施形態の機能が実現される場合も含まれることは言うまでもない。
【０１３３】
さらに、記憶媒体から読み出されたプログラムコードが、コンピュータに挿入された機能拡張カードやコンピュータに接続された機能拡張ユニットに備わるメモリに書込まれた後、そのプログラムコードの指示に基づき、その機能拡張カードや機能拡張ユニットに備わるＣＰＵなどが実際の処理の一部または全部を行い、その処理によって前述した実施形態の機能が実現される場合も含まれることは言うまでもない。
【０１３４】
本発明を上記記憶媒体に適用する場合、その記憶媒体には、先に説明した（図２、及び／又は図６）フローチャートにおいて、各機器のフローチャートに対応するプログラムコードが格納されることになる。
【０１３５】
【発明の効果】
以上の説明により、本発明によって、絵文字、特にメール中に使用される絵文字に応じた情報提供を可能にすることができる。
【図面の簡単な説明】
【図１】本発明の第１の実施形態に係るシステムの基本構成を示す図である。
【図２】本発明の第１の実施形態に係るシステムにおいて、サーバ装置１０４が記憶保持する複数のセットの中から、携帯端末装置１０１から要求した所望のセットをサーバ装置１０４から携帯端末装置１０１にダウンロードするために、サーバ装置１０４、携帯端末装置１０１の夫々が行う処理のフローチャートである。
【図３】携帯端末装置１０１の表示部１０１ａに表示される、上記ダウンロードサイトの画面の表示例を示す図である。
【図４】図４は、図１２に示したメモリ１０１ｃが保持するメールデータに従った表示部１０１ａにおける表示を示す図である。
【図５】各絵文字の画像データと、各アドレスデータとを関連づけたテーブルを示す図である。
【図６】表示部１０８ａに表示された絵文字「＠」の画像データを用いて、サーバ装置１０５からＡ社に関する情報提供サービスを受けるためにサーバ装置１０５、携帯端末装置１０８が行う処理のフローチャートである。
【図７】（ａ）は、Ａ社が有する各支店のコンビニエンスストアの緯度、経度を示すテーブルを示す図、（ｂ）は、（ａ）に示した各支店に固有のデータである支店データ群（有楽町支店データは有楽町支店固有のデータ、銀座支店データは銀座支店固有のデータ、新宿支店データは新宿支店固有のデータ）を示す図である。
【図８】受信したいくつかの支店データを携帯端末装置１０８の表示部１０８ａに表示した場合の表示例を示す図である。
【図９】図８に示した画面で指示された支店の近傍の地図の画像の表示部１０８ａにおける表示例を示す図である。
【図１０】受信した上記一般データの一例として、セール情報の広告画面データを携帯端末装置１０８の表示部１０８ａに表示した場合の表示例を示す図である。
【図１１】（ａ）は、「今日に行ってきたよ」というメールの文章を入力した場合に表示部１０１ａに表示される画面を示す図、（ｂ）は、そのときにメモリ１０１ｃに記憶されているメールの文章データの内容を示す図である。
【図１２】所望の絵文字を「＠」とした場合に、ＣＰＵ１０１ｄによってメモリ１０１ｃに記述された結果（ＨＴＭＬデータ）を示す図である。
【図１３】本発明の第１の実施形態に係るシステムの基本構成を示す図である。
【図１】
2004094915.tif 000003
【図２】
2004094915.tif 000004
【図３】
2004094915.tif 000005
【図４】
2004094915.tif 000006
【図５】
2004094915.tif 000007
【図６】
2004094915.tif 000008
【図７】
2004094915.tif 000009
【図８】
2004094915.tif 000010
【図９】
2004094915.tif 000011
【図１０】
2004094915.tif 000012
【図１１】
2004094915.tif 000013
【図１２】
2004094915.tif 000014
【図１３】
2004094915.tif 000015